(57)【特許請求の範囲】
【請求項１】
２つの拡開したセル状保持構造体を係止する結合部品であって、
前記結合部品は、
（ａ）対向する第１の挿入端部及び第２の挿入端部と、
前記第１の挿入端部及び第２の挿入端部の間に位置する挿入延長部と、
を有する挿入部を有し、
（ｉ）前記挿入部は、
前記第１の挿入端部及び第２の挿入端部の間の長さである第１の長さを有し、
前記結合部品は、
（ｂ）前記挿入延長部から垂直に延設され、前記第１の挿入端部及び第２の挿入端部のそれぞれからは離れている軸部と、
（ｃ）前記軸部の一端において前記軸部から垂直に、かつ、前記挿入部からは離れて延設され、
第１のハンドル端部と、第２のハンドル端部と、前記第１のハンドル端部及び第２のハンドル端部の間に位置するハンドル延長部とを有するハンドル部と、
を有し、
（ｉ）前記軸部は、
前記第１のハンドル端部及び第２のハンドル端部のそれぞれから離れており、
（ｉｉ）前記ハンドル部は、
前記第１のハンドル端部及び第２のハンドル端部の間の長さである第２の長さを有し、
（ｉｉｉ）前記軸部は、
前記挿入部及びハンドル部の間の長さである第３の長さを有し、
前記第２の長さは、
前記第１の長さより長く、
前記第３の長さは、
前記第１の長さの半分より短く、かつ、第２の長さの半分より短いこと、
を特徴とする結合部品。
【請求項２】
前記軸部は、
１組の軸板部を含み、
前記１組の軸板部は、
相互に平行にかつ相互に離れて位置し、前記１組の軸板部の間に空間を区画すること、
を特徴とする請求項１に記載の結合部品。
【請求項３】
前記軸部及び挿入部は、
固形プラスチックであること、
を特徴とする請求項１に記載の結合部品。
【請求項４】
前記挿入部は、
１組の挿入板部を含み、
前記１組の挿入板部は、
相互に平行であり、湾曲部によって結合され、
前記１組の挿入板部は、
相互に離れていること、
を特徴とする請求項１に記載の結合部品。
【請求項５】
前記ハンドル延長部は、
前記ハンドル延長部から突出した第１の耳部及び第２の耳部を含むこと、
を特徴とする請求項１に記載の結合部品。
【請求項６】
前記第１の耳部及び第２の耳部は、
前記挿入部から突出していること、
を特徴とする請求項５に記載の結合部品。
【請求項７】
前記第１の耳部及び第２の耳部は、
前記挿入部に向かって突出していること、
を特徴とする請求項５に記載の結合部品。
【請求項８】
前記第２の長さは、
前記第１の長さより、少なくとも１０％長いこと、
を特徴とする請求項１に記載の結合部品。
【請求項９】
前記結合部品は、
保持部をさらに有し、
前記保持部は、
前記軸部から延設され、前記挿入部及びハンドル部のそれぞれから離れていること、
を特徴とする請求項１に記載の結合部品。
【請求項１０】
前記保持部は、
前記軸部から延設される１組の腕部を含み、
前記腕部のそれぞれは、
前記挿入部の幅よりも大きく、かつ、前記ハンドル部の幅よりも大きい幅を有すること、
を特徴とする請求項９に記載の結合部品。
【請求項１１】
セル状保持システムであって、
前記セル状保持システムは、
（ａ）離れた領域において相互に接合され、セルの壁を形成する、細長いプラスチック片から作成された複数のセルであって、そのうちの少なくともいくつかは開放長孔を形成する複数のセルを有する第１の単位網と、
（ｂ）離れた領域において相互に接着され、セルの壁を形成する、細長いプラスチック片から作成された複数のセルであって、そのうちの少なくともいくつかは開放長孔を形成する複数のセルを有する第２の単位網と、
を有し、
（ｉ）前記第１の単位網の少なくとも１つの開放長孔と、前記第２の単位網の少なくとも１つの開放長孔とは、
セル重ね合わせ領域において、位置合わせされており、
前記セル重ね合わせ領域は、
対向する第１の側及び第２の側を有し、
前記セル状保持システムは、
（ｃ）前記第１の単位網及び第２の単位網を相互に係止する少なくとも１つの結合部品を有し、
前記結合部品は、
（ｉ）対向する第１の挿入端部及び第２の挿入端部と、前記第１の挿入端部及び第２の挿入端部の間に位置する挿入延長部と、前記第１の挿入端部及び第２の挿入端部の間の長さである第１の長さと、を有し、
（Ａ）前記セル重ね合わせ領域の前記第１の側上に位置する挿入部と、
（ｉｉ）前記挿入延長部から垂直に延設され、前記第１の挿入端部及び第２の挿入端部のそれぞれからは離れており、
（Ａ）前記位置合わせされた第１の単位網の１つの開放長孔及び第２の単位網の１つの開放長孔の両者を貫通することによって前記セル重ね合わせ領域を貫通する軸部と、
（ｉｉｉ）前記軸部の一端において前記軸部から垂直に、かつ、前記挿入部からは離れて延設され、
第１のハンドル端部と、第２のハンドル端部と、前記第１のハンドル端部及び第２のハンドル端部の間に位置するハンドル延長部とを有するハンドル部と、
を有し、
前記軸部は、
前記第１のハンドル端部及び第２のハンドル端部のそれぞれからは離れており、
（Ａ）前記ハンドル部は、
前記セル重ね合わせ領域の第２の側上に位置すること、
を特徴とするセル状保持システム。
【請求項１２】
（ａ）前記ハンドル部は、
前記第１のハンドル端部及び第２のハンドル端部の間の長さである第２の長さを有し、
（ｂ）前記軸部は、
前記挿入部及びハンドル部の間の長さである第３のの長さを有し、
（ｃ）前記第２の長さは、
前記第１の長さよりも長く、
（ｄ）前記第３の長さは、
前記第１の長さの半分よりも短く、かつ、第２の長さの半分よりも短いこと、
を特徴とする請求項１１に記載のセル状保持システム。
【請求項１３】
前記軸部は、
１組の軸板部を含み、
前記１組の軸板部は、
相互に平行にかつ相互に離れて位置し、前記１組の軸板部の間に空間を区画し、前記軸板部に前記セルの荷重が係る状態に置かれたとき、前記軸板部に掛かる前記荷重を保持すること、
を特徴とする請求項１１に記載のセル状保持システム。
【請求項１４】
前記セル状保持システムは、
腱をさらに含み、
前記腱は、
前記軸部内の空間を貫通し、かつ、前記位置合わせされた第１の単位網の開放長孔及び前記第２の単位網の開放長孔を貫通して延設されていること、
を特徴とする請求項１３に記載のセル状保持システム。
【請求項１５】
前記セル状保持システムは、
保持部をさらに含み、
前記保持部は、
前記軸部から延設され、前記挿入部及びハンドル部のそれぞれから離れており、
前記第２の単位網のセル内に位置していること、
を特徴とする請求項１１に記載のセル状保持システム。
【請求項１６】
前記第２の長さは、
前記第１の長さより、少なくとも１０％長いこと、
を特徴とする請求項１２に記載のセル状保持システム。
【請求項１７】
前記結合部品は、
複数存在し、
前記結合部品のそれぞれは、
前記第１の単位網及び第２の単位網を相互に係止すること、
を特徴とする請求項１１に記載のセル状保持システム。
【請求項１８】
２つの拡開したセル状保持構造体を係止する方法であって、
前記方法は、
（ａ）第１の単位網によって区画される少なくとも１つの開放長孔及び第２の単位網によって区画される少なくとも１つの開放長孔の位置を合わせ、第１の側及び第２の側を有する重ね合わせ領域を形成するように、前記２つの拡開したセル状保持構造体の位置を合わせ、
（ｂ）前記重ね合わせ領域の前記第２の側から、前記重ね合わせ領域の前記位置が合わされた開放長孔に、結合部品の挿入部を挿入することによって、
（ｉ）前記挿入部が前記重ね合わせ領域の前記第１の側上に位置し、
（ｉｉ）前記結合部品のハンドル部が前記重ね合わせ領域の前記第２の側上に位置し、
（ｉｉｉ）前記挿入部及びハンドル部の間の軸部が前記重ね合わせ領域を貫通するようにし、
（ｃ）前記ハンドル部を回転して前記重ね合わせ領域において前記結合部品を回転すること、を含むこと、
を特徴とする方法。
【請求項１９】
前記方法は、
前記軸部によって区画される空間及び前記重ね合わせ領域を腱が貫通するように、前記腱の方向を変更することをさらに含むこと、
を特徴とする請求項１８に記載の方法。
【請求項２０】
（ａ）前記挿入部は、
対向する第１の挿入端部及び第２の挿入端部と、前記第１の挿入端部及び第２の挿入端部の間に位置する挿入延長部と、
（ｉ）前記第１の挿入端部及び第２の挿入端部の間の長さである第１の長さと、
を有し、
（ｂ）前記軸部は、
前記挿入延長部から垂直に延設され、前記第１の挿入端部及び第２の挿入端部のそれぞれからは離れており、
（ｃ）前記ハンドル部は、
前記軸部の一端において前記軸部から垂直に、かつ、前記挿入部からは離れて延設され、
第１のハンドル端部と、第２のハンドル端部と、前記第１のハンドル端部及び第２のハンドル端部の間に位置するハンドル延長部とを有し、
（ｉ）前記軸部は、
前記第１のハンドル端部及び第２のハンドル端部のそれぞれから離れており、
（ｉｉ）前記ハンドル部は、
前記第１のハンドル端部及び第２のハンドル端部の間の長さである第２の長さを有し、
（ｉｉｉ）前記軸部は、
前記挿入部及びハンドル部の間の長さである第３の長さを有し、
前記第２の長さは、
前記第１の長さより長く、
前記第３の長さは、
前記第１の長さの半分より短く、かつ、第２の長さの半分より短いこと、
を特徴とする請求項１８に記載の方法。
【請求項２１】
前記ハンドル部を回転することは、
前記ハンドル部を９０度回転することを含むこと、
を特徴とする請求項１８に記載の方法。
【発明の詳細な説明】
【技術分野】
【０００１】
本発明は、２００９年１０月２８日にＰＣＴ国際出願として出願された。当該ＰＣＴ国際出願は、２００８年１１月１０日に出願された米国特許出願第１２／２６８，０８４号を基礎とする優先権を主張している。また、米国以外の全ての国の指定についての出願人は、米国法人レイノルズ  コンシューマ  プロダクツ、インク.であり、米国の指定についての出願人は、米国市民センフ、ダニエル、エフ.、ドイツ連邦共和国市民ティーテェン、カイ、米国市民シュナイダー、コリー、米国市民ハンドロス、ウイリアム、及び米国市民バッハ、ゲイリー、エム.である。
【０００２】
本開示は、充填材料を保持するための拡開したセル状保持構造体向けの結合部品に関する。具体的には、本開示は、少なくとも２つの拡開したセル状保持構造体を相互に係止するために使用される結合部品及び結合方法に関する。
【背景技術】
【０００３】
セル状保持構造体は、システムのセル内に位置する充填材料の耐荷重性、安定性及び耐腐食性を向上させるのに役立つ。市販されているシステムとして、ウィスコンシン州アップルトンのプレスト  プロダクツ  インク.が販売している、Ｇｅｏｗｅｂ（登録商標）プラスチック網保持構造体がある。Ｇｅｏｗｅｂ（登録商標）セルは、複数の高密度ポリエチレン片で作成されており、複数のポリエチレン片は、隣接する側同士を互い違いの位置で溶接することによって接合されている。したがって、片の面に対して垂直な方向に片が延長されたときに、セルが正弦曲線状又は波状になるので、結果としてできる網セクションは、蜂の巣状の外観を呈する。Ｇｅｏｗｅｂ（登録商標）セクションは、取り扱い及び据付を簡単にするために、軽量であり、折りたたまれた形状で輸送される。Ｇｅｏｗｅｂ（登録商標）システムは、米国特許第６，３９５，３７２号公報、第４，７７８，３０９号公報、第４，９６５，０９７号公報及び第５，４４９，５４３号公報に記載されており、これらの特許文献のそれぞれがここに引用されるものとする。
【発明の概要】
【発明が解決しようとする課題】
【０００４】
典型的には、セル状保持構造体は、相互に隣接して配列され、相互に結合されている。過去においては、これらのセクションは、ホチキス（登録商標）、ワイヤ、ケーブルタイ等を使用することによって相互に結合されていた。このような部品は、労働集約的かつ過度の組み立て時間を必要としていた。多くの実施形態においては、これらの結合タイプは、状況又は地形によっては使用困難となる。多くの場合、これらの結合タイプは、発電機からの電力及び圧縮機からの動力空気を必要とする。このようなセル状保持構造体が典型的に配置される特定の環境又は地形次第では、電力は益々入手しにくくなる。小規模プロジェクトにおいては、結合１単位あたりのコストは、非常に割高になり得る。小規模な据付であっても、大規模な据付であっても、発電機及び空気圧縮機の調達コストは定額であるからである。さらに、これらの結合部品のなかには、結合構造が比較的弱く、長持ちしないものもある。これらのことが問題とならない実施形態もある。しかしながら、多くの適用例においては、作業速度が重要であり、発電設備が常に利用できるとは限らない。多くの実施形態において、長期耐久性が必須となる。改良が望まれている。
【課題を解決するための手段】
【０００５】
（要約）
２つの拡開したセル状保持構造体を係止する結合部品が提供される。一般的には、結合部品は、挿入部を含む。挿入部は、対向する第１の挿入端部及び第２の挿入端部、並びに、これらの間に位置する挿入延長部を有する。軸部は、挿入延長部から延設されており、第１の挿入端部及び第２の挿入端部のそれぞれからは離れている。ハンドル部は、一般的に、軸部の一方の端部から延設されており、挿入部からは離れている。ハンドル部は、第１のハンドル端部、第２のハンドル端部、及び、それらの間に位置するハンドル延長部を有する。軸部は、第１のハンドル端部及び第２のハンドル端部のそれぞれからは離れている。
【０００６】
他の実施形態においては、セル状保持システムが提供される。セル状保持システムは、第１の単位網及び第２の単位網を含む。第１の単位網及び第２の単位網は、間隔を置いた領域で接合された複数の細長いプラスチック片から作成された複数のセルを有する。プラスチック片は、セルの壁面を形成し、セルのうちの少なくともいくつかは、開放長孔を区画する。第１の単位網の少なくとも１つの開放長孔は、第２の単位網の少なくとも１つの開放長孔と位置合わせされているので、セル重ね合わせ領域ができることになる。セル重ね合わせ領域は、対向する第１の側及び第２の側を有する。少なくとも１つの結合部品が、第１の単位網及び第２の単位網を係止する。結合部品は、前記したようなタイプであってもよい。使用されたとき、挿入部は、セル重ね合わせ領域の第１の側上に位置する。軸部は、第１の単位網の長孔及びそれと位置合わせされている第２の単位網の長孔を通りセル重ね合わせ領域を貫通する。ハンドル部は、セル重ね合わせ領域の第２の側上に位置する。
【０００７】
他の実施形態においては、２つの拡開したセル状保持構造体を係止する方法が提供される。当該方法は、２つの拡開したセル状保持構造体の位置を合わせることを含む。その結果、第１の単位網によって区画される少なくとも１つの開放長孔と、第２の単位網によって区画される少なくとも１つの開放長孔とは位置合わせされ、第１の側及び第２の側を有する重ね合わせ領域を形成する。当該方法は、結合部品の挿入部を、重ね合わせ領域の第２の側から挿入し、重ね合わせ領域の位置が揃った開放長孔を貫通させる。すると、挿入部は、重ね合わせ領域の第１の側上に現れ、結合部品のハンドル部は、重ね合わせ領域の第２の側上に残り、挿入部及びハンドル部の間の軸部は、重ね合わせ領域を貫通することとなる。
【０００８】
いくつかの実施形態においては、当該方法は、ハンドル部を回転し、重ね合わせ領域内で結合部品を回転することをさらに含む。
【図面の簡単な説明】
【０００９】
【図１】本開示の原理を使用するセル状保持システム及び結合部品が、端部同士を直列的に接続される前の分解斜視図である。
【図１Ａ】本開示の原理を使用するセル状保持システム及び結合部品が、並列的に接続される前の分解斜視図である。
【図２】拡開したセル状保持構造体の部分である２つのセルが、相互に結合される前の斜視図である。
【図３】本開示の原理に従って構成された結合部品を使用して相互に結合された拡開したセル状保持構造体の斜視図である。
【図４】本開示の原理に従って構成された結合部品の１つの実施形態の斜視図である。
【図５】図４の結合部品の他の斜視図である。
【図６】図４及び図５の結合部品の平面図である。
【図７】図６の結合部品の側面図である。
【図８】図７で示される側面の反対側の側面を示す、図６の結合部品の他の側面図である。
【図９】本開示の原理に従って構成された結合部品の第２の実施形態の平面図である。
【図１０】図９の結合部品の斜視図である。
【図１１】図９の結合部品の平面図である。
【図１２】図９〜図１１の結合部品の斜視図である。
【図１３】結合部品及び腱を併用するステップの斜視図である。
【図１４】結合部品及び腱を併用する他のステップの斜視図である。
【図１５】結合部品及び腱を併用する他のステップの斜視図である。
【発明を実施するための形態】
【００１０】
（詳細な説明）
図１及び図１Ａにおいて、セル状保持システム１４が記載されている。示されている具体的な実施形態においては、セル状保持システム１４は、複数のセル１８を有する、第１の単位網及び第２の単位網を含む。第１の網は符号２０で示されている。一方、第２の網は符号２２で示されている。示されている実施形態において、セル状保持システム１４は、第１の網２０及び第２の網２２を係止するための少なくとも１つの結合部品２４をさらに含む。
【００１１】
図１は、第１の網２０及び第２の網２２の端部同士を直列的に接続する前のシステム１４を示している。図１Ａは、第１の網２０及び第２の網２２の側同士を（並列的に）接続する前のシステム１４を示している。拡開したセル状保持構造体１４のそれぞれは、相互に接合された複数のプラスチック片２６を有する。互い違いに等間隔で接合されている領域２８において、ある片は次の片と接合され、個別セル３２のセル壁３０を形成している。複数の片２６が片の面に対して垂直な方向に延長されたとき、片２６は、正弦曲線状に曲がり、セル３２の網２０及び２２を、連続セルパターン状に形成する。セル３２のそれぞれは、ある１つの片２６から作られるセル壁３０と、異なる１つの片２６から作られるセル壁３０とを有している。
【００１２】
この実施形態においては、片２６は、開口３４を区画する。開口３４は、腱（ｔｅｎｄｏｎ）を通して網２０及び２２を補強し、部材を連続的かつ全体的に固定することによって網の安定性を向上させ、網２０及び２２の予期せぬずれを防止するために使用され得る。開口３４は、工事現場での充填材注入に充分な壁面剛性を維持しつつ、充填材が接触しあって一体的に固まることを可能にする。最適化された開口サイズ及びパターンが、米国特許第６，３９５，３７２号公報に記載されており、当該文献はここに引用されるものとする。
【００１３】
図２は、２つのセル３２を示している。図１に示されるすべての開口３４を片２６が有しているとは限らないという点で、図２のセル３２は、図１と若干異なっている。開口３４がオプションとして使用され得るか否かは、実施形態次第である。図２に記載されているオプションは、片２６上に開口３４を示していない。しかしながら、図２は、片２６上にセル壁３０によって区画された開放長孔３６を記載している。開放長孔３６は、結合部品２４と協働して、隣接する網２０及び２２を相互に係止するために使用される。
【００１４】
図３は、第１の網２０及び第２の網２２が結合部品２４によって相互に係止されているセル状保持システム１４を示している。図３の実施形態においては、少なくとも１つの結合部品２４が使用され、実際の図では、複数の結合部品２４が使用されている。図３は、結合部品２４が２つである例を示している。
【００１５】
引続き図３を参照すると、セル重ね合わせ領域３８が記載されている。具体的には、セル重ね合わせ領域３８が２つ存在する。図示されているように、セル重ね合わせ領域では、複数のセルを有する第１の単位網２０の開放長孔３６と複数のセルを有する第２の単位網２２の開放長孔３６とが位置合わせされている。セル重ね合わせ領域３８は、第１の側４０及びその反対側の第２の側４２を区画する。結合部品２４は重ね合わせ領域３８を貫通しているので、重ね合わせ領域３８の第１の側上に結合部品２４の一部が視認され得る。一方、結合部品２４の他の部分が、重ね合わせ領域３８の第２の側４２上に破線として視認され得る。この例はさらに後記される。
【００１６】
図４〜図８を参照する。図４〜図８は、結合部品２４の１つの実施形態を記載している。記載されている実施形態においては、結合部品２４は、挿入部４４を含む。挿入部４４は、対向する第１の挿入端部４６及び第２の挿入端部４７、並びに、第１の挿入端部４６及び第２の挿入端部４７との間に位置する挿入延長部４８を有する。第１の長さは、第１の挿入端部４６及び第２の挿入端部４７の間の距離によって定義される。
【００１７】
１つの実施形態においては、第１の挿入端部４６は、全体的に丸められた三角形状５０を有し、テーパ形状となっている。当該形状は、適切かつ迅速に結合部品２４を使用するために必要となる。当該形状であれば、挿入部の幅を最大化することができ、したがって、一旦使用位置におかれた挿入部に掛かる力を最大限に分散できる。
【００１８】
当該実施形態においては、第２の挿入端部４７は、テーパ形状の端部を有するものとして記載されている。当該実施形態においては、図４に示されているように、第２の挿入端部４７は、丸められた三角形状５２を有する。当該形状は、第１の網２０及び第２の網２２を相互に結合するときに、結合部品２４を適切かつ迅速に使用することを可能にする。
【００１９】
示されている実施形態においては、挿入部４４は、１組の挿入板部５４及び５５を有する。示されている例では、挿入板部５４及び挿入板部５５は、相互に平行である。示されている例では、挿入板部５４及び挿入板部５５は、湾曲部５６によって繋がれている。示されている例では、挿入板部５４及び挿入板部５５は、相互に離れて位置しており、両者間に位置する空間５８を区画している。１つの実施形態において、挿入部４４のサイズは、長孔３６のサイズに合うように選択される。挿入部４４の使用可能な長さは、７０ミリメートルよりも短く、例えば、２０〜６０ミリメートルであり、特に、３５〜５０ミリメートルである。挿入板部５４の外縁から挿入板部５５の外縁までの距離である挿入部４４の幅もまた、長孔３６の大きさに合うように選択される。当該実施形態では、当該幅は、２０ミリメートルより小さく、例えば、４〜１２ミリメートルである。
【００２０】
挿入板部５４及び５５の、湾曲部５６とは反対側の端部に、１組の橋部６１及び６２が位置する。この組は、挿入部４４の周辺の領域から空間５８へのアクセスを遮断する。例えば、結合部品２４が、挿入部４４の周辺で、結合部品の一部に腱を通しているとき、橋部６１及び６２は、腱が空間５８に滑り込むのを防ぐ。
【００２１】
引続き図４〜図８を参照すると、一例としての結合部品２４は、軸部６４を含む。軸部６４は、挿入延長部４８から延設されており、第１の挿入端部４６及び第２の挿入端部４７のそれぞれから離れて位置している。様々な実施形態が可能である。記載されている実施形態においては、軸部６４は、挿入延長部４８に対して概ね垂直に延設されている。
【００２２】
１つの実施形態においては、軸部６４は、１組の軸板部６６及び６７を含む。示されている実施形態では、軸板部６６及び６７は、相互に平行かつ離れて位置しており、それらの間に空間６８を区画している。
【００２３】
軸部６４の長さは、後記するように、挿入部４４及びハンドル部７０の間の距離として定義される。軸部６４の長さは、１つの実施形態では、挿入部４４の長さより短い。
【００２４】
示されている実施形態では、結合部品２４は、ハンドル部７０を含む。ハンドル部７０は、軸部６４と一体化されているのが好ましい。ハンドル部７０は、軸部６４の端部において軸部６４から延設されており、挿入部４４からは離れている。
【００２５】
記載されている例では、ハンドル部７０は、第１のハンドル端部７２及び第２のハンドル端部７３を有する。ハンドル延長部７４が、第１のハンドル端部７２及び第２のハンドル端部７３の間に位置する。
【００２６】
記載されている例では、軸部６４は、第１のハンドル端部７２及び第２のハンドル端部７３のそれぞれから離れている。
【００２７】
ハンドル部７０の長さは、第１のハンドル端部７２及び第２のハンドル端部７３の間の長さとして定義される。多くの設計例が考えられるが、図示されている実施形態では、ハンドル部７０の長さは、挿入部４４の長さより長い。１つの実施形態では、軸部６４の長さは、ハンドル部７０の長さの半分より短く、かつ、挿入部４４の長さの半分より短い。これらの相対的な大きさ関係は、長孔３６に準拠しており、第１の網２０及び第２の網２２を適切かつ迅速に係止することを可能にする。
【００２８】
例の実施形態では、ハンドル部７０の長さは、１００ミリメートルより長くはなく、典型的には、３０〜８０ミリメートルであり、例えば、４５〜５５ミリメートルである。
【００２９】
示されている実施形態では、ハンドル部７０の長さは、挿入部４４の長さより、少なくとも１０％長い。この相対的な大きさ関係は、結合部品２４が長孔３６の内部にとどまり、長孔３６から外れることがないことを保証する。
【００３０】
示されている実施形態では、ハンドル延長部７４は、そこから突出している第１の耳部７６及び第２の耳部７６を含む。耳部７６及び７７は、挿入部４４から突出している。示されている実施形態では、第１の耳部７６及び第２の耳部７７は、丸められて、同じようにそれぞれ第１のハンドル端部７２及び第２のハンドル端部７３を含んでいる。
【００３１】
引続き図４〜図８を参照すると、ハンドル部７０は、基板８０及び基板８０から延設された傾斜ハンドル板８１をさらに含む。傾斜ハンドル板８１は、交差箇所８２において、基板８０と繋がっている。傾斜ハンドル板８１は、交差箇所８２から、基板８０に対してある角度をなして延設され、軸部６４の軸板部６６に達している。傾斜ハンドル板８１及び基板８０は、これらの間に位置する空間８４を区画している。傾斜ハンドル板８１及び基板８０の間であって、かつ、ハンドル延長部７４のうちの耳部７６及び７７の反対側の箇所で、１組のハンドル橋部８６及び８７が延設されている。橋部８６及び８７によって、軸板部６６及び６７の間の空間６８内を通る腱が、ハンドル部７０の空間８４内に入るのを防ぐことができる。
【００３２】
図３に戻ると、結合部品２４は、使用状態において、重ね合わせ領域３８の第１の側４０上に挿入部４４を有し、重ね合わせ領域３８の第２の側４２上にハンドル部７０を有していることが分かる。軸部６４は、重ね合わせ領域３８を貫通している。結合部品２４を使用する方法が後記される。結合部品２４は、硬質プラスチック鋳造材のような、硬質素材を用いた一体成形部品として作成される。
【００３３】
図９〜図１２に、結合部品２４の第２の実施形態が記載されている。図９〜図１２に記載されている結合部品２４は、挿入部９０、軸部９２及びハンドル部９４を含む。結合部品２４のこの実施形態は、保持部９６をさらに含む。保持部９６は、軸部９２から延設され、挿入部９０及びハンドル部９４のそれぞれからは離れている。
【００３４】
示されている実施形態では、保持部９６は、軸部９２から延設されている１組の腕部９８及び９９を含む。図１１及び図１２で分かるように、腕部９８及び９９のそれぞれの幅は、挿入部９０の幅より大きく、かつ、及びハンドル部９４の幅よりも大きい。保持部９６は、片２６の面に接触し片２６に荷重を移転するような形状になっている。使用状態では、保持部９６は、セル重ね合わせ領域３８の、ハンドル部９４と同じ側４２上に位置する。
【００３５】
当該実施形態においては、ハンドル部９４は、挿入部９０に向かって突出する第１の耳部１０１及び第２の耳部１０２を有する。
【００３６】
使用状態では、結合部品２４は、拡開したセル状保持構造体を相互に係止するために使用され得る。当該方法は、２つの拡開したセル状保持構造体１８の位置を合わせ、その結果、第１の網２０によって区画される少なくとも１つの開放長孔３６と、第２の網２２によって区画される少なくとも１つの開放長孔３６とを位置合わせし、重ね合わせ領域３８を形成する。
【００３７】
結合部品２４を用意する。結合部品２４は、挿入部４４及び９０を重ね合わせ領域３８の第２の側４２から挿入し、重ね合わせ領域３８の位置合わせされている開放長孔３６を貫通させることによって使用される。このように使用すると、挿入部４４及び９０は、重ね合わせ領域３８の第１の側上に位置する。また、ハンドル部７０及び９４は、重ね合わせ領域３８の第２の側上に位置する。さらに、軸部６４及び９２は、重ね合わせ領域３８を貫通することになる。
【００３８】
当該方法は、ハンドル部７０及び９４を回転して、重ね合わせ領域３８内で結合部品２４を回転することも含む。このようにすると、長孔３６内で、結合部品２４を固定することができる。
【００３９】
いくつかの実施形態においては、当該方法は、軸部６４によって区画される空間６８及び重ね合わせ領域３８を腱が通るように、腱の向きを変えるステップをさらに含み得る。
【００４０】
図１３〜図１５には、図９〜図１２の結合部品２４と接続される腱１１０の使用例が示されている。図１３では、腱１１０が、巻き付き部分１１２でハンドル部９４に巻き付くように図示されている。腱１１０は、ハンドル部９４の下方に位置し、ハンドル部９４の１つの側を巻き上がり巻き越している。腱は、再びハンドル部９４の上部に巻き付き、交差巻きを形成する。図１３を参照すると、直列的又は並列的に隣接している２つの網２０及び２２の長孔３６に、挿入部９０がどのようにして挿入されるか又は嵌め込まれるかが分かる。図１３では長孔３６は見えないが、腱１１０が、網２０及び２２の長孔３６を貫通しているのが分かる。図１４は、結合部品２４が長孔３６を貫通して完全に嵌め込まれた状態を示している。図１４は、結合部品２４を回転し、長孔３６内で結合部品２４を固定する最終ステップを示している。図１４及び図１５を比較すると、結合部品２４が約９０度回転していることが分かる。
【００４１】
回転するステップは、ハンドル部７０及び９４を約９０度回転することを含むのが好ましい。
【００４２】
使用状態において、長孔３６は、非円形、例えば、楕円、長円又はトラック形になる。１つの実施形態においては、長孔３６は、一辺の長さが半円の直径に等しい長方形によって分割された２つの半円に似た形状となる。使用時には、当該形状は縦軸及び横軸を有することとなる。縦軸と比較した横軸の比率としての、使用可能な長孔３６の縦横比は、約３対１１である。結合部品２４の大きさと比較すると、長孔３６の縦軸の長さは、挿入部４４及び９０の長さの８５〜９５％、例えば、９２％である。長孔３６の横軸の長さは、挿入部４４及び９０の長さの２０〜３０％、例えば、２５％になる。さらに、長孔３６の横軸の長さは、結合部品２４の幅又は厚さの約１０１％となる。
【００４３】
上記で、１つの説明は完結するが、多くの実施形態が作成可能である。
【符号の説明】
【００４４】
１４      セル状保持構造体
２０、２２  （単位）網
２４      結合部品
２６      片
３０      セル壁
３２      セル
３４      開口
３６      （開放）長孔
３８      （セル）重ね合わせ領域
４０      第１の側
４２      第２の側
４４、９０  挿入部
４６、４７  挿入端部
４８      挿入延長部
５４、５５  挿入板部
５６      湾曲部
６４、９２  軸部
６６、６７  軸板部
７０、９４  ハンドル部
７２、７３  ハンドル端部
７６、７７  耳部
８０      基板
８１      傾斜ハンドル板
８６、８７  ハンドル橋部
９６      保持部
１０１    耳部
１１０    腱
【図１】
0005443503.tif 000002
【図１Ａ】
0005443503.tif 000003
【図２】
0005443503.tif 000004
【図３】
0005443503.tif 000005
【図４】
0005443503.tif 000006
【図５】
0005443503.tif 000007
【図６】
0005443503.tif 000008
【図７】
0005443503.tif 000009
【図８】
0005443503.tif 000010
【図９】
0005443503.tif 000011
【図１０】
0005443503.tif 000012
【図１１】
0005443503.tif 000013
【図１２】
0005443503.tif 000014
【図１３】
0005443503.tif 000015
【図１４】
0005443503.tif 000016
【図１５】
0005443503.tif 000017